(57)【特許請求の範囲】
【請求項１】
建築物壁面に貼設された一対の壁パネルの両側端部が突き合わされて形成された所定間隔を有する間隙がその延設方向に沿って挿入されて配設された目地材により塞がれ、前記間隙が形成される箇所に、該両側端部間に跨って、該間隙および前記目地材を覆う外壁補修テープを貼設した後、該外壁補修テープの表面側と前記両壁パネルの壁パネル表面とに下塗り塗料を塗布して一方の壁パネル表面から前記外壁補修テープの表面側を経て他方の壁パネル表面に至る領域を略面一高さとし、この下地塗料層の上から塗装を施して、該外壁補修テープ部分と、該壁パネル表面部分とを略面一高さにすることを特徴とする外壁補修テープを用いた補修方法。
【発明の詳細な説明】
【０００１】
【発明の属する技術分野】
この発明は、主に、経時劣化した外壁パネル間に貼設されて、補修を行なうことが出来る外壁補修テープを用いた補修方法に関するものである。
【０００２】
【従来の技術】
従来のこの種の外壁に用いられる壁パネルとしては、例えば、図７に示す様なものが知られている。
【０００３】
このようなものでは、建物ユニットの壁部を構成する外壁パネル本体１が、アルミ製平板材によって構成されている。この外壁パネル本体１の表面１ａには、下塗り塗料２が塗布されている。
【０００４】
そして、この下塗り塗料２の上には、骨材３…が、２５〜２００個／ｃｍ2で散布されて陰影を生じる凹凸部が形成されるようにしている。
【０００５】
更に、この骨材３…の上には、吹付材４が散点状に塗布されている。この散点状の吹付材４には、前記骨材３…の上端の位置まで押し延ばされて、平滑で均一な凸部平坦部５が形成されている。
【０００６】
また、この凸部平坦部５と、残りの凹部とには、上塗り塗料６が塗布されて、凸部平坦面７と凹部の凹凸面８との陰影差が強調されるように構成されている（特開昭６０−１０２９７９号公報等参照）。
【０００７】
【発明が解決しようとする課題】
このような従来のものでは、複数の外壁パネル本体１…を組み合わせて、建物ユニットの外壁等を構成する場合、外壁パネル本体１，１の側端部同士が突き合わされる箇所には、継目が発生してしまう。
【０００８】
これらの継目には、通常、ブチルゴム製等の目地材が挿入されているが、継目を完全に隠すことは出来ず、外観品質が良好であるとは言い難かった。
【０００９】
特に、経年により経時劣化が発生すると、ブチルゴム製等の目地材の傷みがかえって外観品質を損ねてしまうといった問題もあった。
【００１０】
そこで、この発明は、外壁表面が経時劣化した際に、再度、塗装等を行なう際に、外観品質を更に向上させることが出来る外壁補修テープを用いた補修方法を提供することを課題としている。
【００１１】
【課題を解決するための手段】
前記課題を解決するため本願発明の請求項１に記載されたものでは、建築物壁面に貼設された一対の壁パネルの両側端部が突き合わされて形成された所定間隔を有する間隙がその延設方向に沿って挿入されて配設された目地材により塞がれ、前記間隙が形成される箇所に、該両側端部間に跨って、該間隙および前記目地材を覆う外壁補修テープを貼設した後、該外壁補修テープの表面側と前記両壁パネルの壁パネル表面とに下塗り塗料を塗布して一方の壁パネル表面から前記外壁補修テープの表面側を経て他方の壁パネル表面に至る領域を略面一高さとし、この下地塗料層の上から塗装を施して、該外壁補修テープ部分と、該壁パネル表面部分とを略面一高さにすることを特徴とする外壁補修テープを用いた補修方法を特徴としている。
【００１２】
このように構成された請求項１記載のものでは、建築物壁面に貼設された一対の壁パネルの両側端部が突き合わされて、所定間隔を有する間隙が形成される箇所に、該両側端部間に跨って、外壁補修テープが裏面側に設けられた粘着層を介して貼設されて、該間隙が覆われる。
【００１３】
このため、該間隙間に挿入された目地材が経時劣化等していても、該外壁補修テープによって覆われて外部からは見えなくなる。
【００１４】
また、外壁補修テープは、表面側に壁パネル表面と略同一塗装が施されても、塗料層の厚みよりも、薄い厚さを有するので、該外壁補修テープ部分と、該壁パネル表面部分とが略面一高さに整う。
【００１５】
このため、外部からは、突き合わされる複数の外壁パネルが、一枚の壁面のように見えて、外観品質が良好である。
【００１７】
さらに、外壁補修テープを貼設して、下地塗装材により下地塗料層を形成すると、下地塗装層の表面を外壁補修テープ部分と、壁パネル部分とで、略面一にする事が出来る。
【００１８】
このため、塗料主材或は、上塗り仕上げ材を塗布する際に、下地が整っているので、更に、良好な仕上がりを得ることが出来る。
【００２０】
ついで、建築物壁面に貼設された一対の壁パネルの両側端部が突き合わされて、所定間隔を有する間隙が形成される箇所に、該両側端部間に跨って、該間隙を覆う外壁補修テープが貼設された後、該外壁補修テープの表面側に壁パネル表面と略同一塗装が施されて、該外壁補修テープ部分と、該壁パネル表面部分とが略面一高さに形成される。
【００２１】
このため、容易に、経時劣化等した間隙間の目地材或は、壁パネルの塗装層を新しい塗装層が覆い良好な外観品質を得ることが出来る。
【００２２】
【発明の実施の形態１】
以下、本発明の具体的な実施の形態１について、図面を参照しつつ説明する。
【００２３】
図１は、この発明の実施の形態１を示すものである。なお、前記従来例と同一乃至均等な部分については、同一符号を付して説明する。
【００２４】
まず、構成を説明すると、この実施の形態１の外壁補修テープ９は、アクリルゴム系の巾約５０ｍｍ，厚さ約２８０μｍの帯状を呈して、テープ本体９ａが構成されている。
【００２５】
このテープ本体９ａが建築物壁面に貼設された一対のアルミ製平板材によって構成される外壁パネル本体１，１の両側端部１ｂ，１ｂが突き合わされて、所定間隔を有する間隙１０が形成される箇所に、これらの両側端部１ｂ，１ｂ間に跨って、間隙形成方向に沿って配設されるものである。
【００２６】
この外壁補修テープ９は、テープ本体９ａ裏面側に粘着層９ｂが設けられている。この実施の形態１では、粘着層９ｂに、図示省略の剥離紙が通常貼設されていて、使用時に、この剥離紙を粘着層９ｂから剥離するように構成されている。
そして、この粘着層９ｂを介して、前記テープ本体９ａが貼設されて、間隙１０が覆われるようにしている。
【００２７】
また、この外壁補修テープ９は、表面側９ｃに壁パネル表面１ａと略同一塗装が施されるもので、この塗装の際の塗料層１１の厚みよりも、薄い厚さとなるように厚さが設定されている。
【００２８】
更に、この実施の形態１の外壁補修テープ９は、前記塗料層１１のうち、補修の際に塗布される下地塗装材の形成する下地塗料層１２の厚みよりも、更に薄い厚さとなるように厚さが設定されている。
【００２９】
次に、一対の外壁パネル本体１，１の両側端部１ｂ，１ｂ近傍の構造について説明する。この実施の形態１では、前記各側端部１ｂ，１ｂの裏面側１ｃ，１ｃには、金属製の中空フレーム１３，１３が設けられている。
【００３０】
また、両側端部１ｂ，１ｂには、断面略Ｌ字状の金属金具１４が設けられている。金属金具１４は、主に各側端部１ｂから、前記中空フレーム１３の側面部１３ａまでを覆う側面部１４ａと、この側面部１３ａを越えて、裏面側１３ｂまでに渡り固着されて配設される裏面部１４ｂとから構成されている。
【００３１】
そして、この両側端部１ｂ，１ｂ間に形成された間隙１０には、合成ゴム製の目地材１５が、この間隙１０の延設方向に沿って、挿入されて配設されている。
【００３２】
この目地材１５は、主に、前記金属金具１４又は側端部１ｂに係止する係止脚部１５ａと、この係止部１５ａと一体に形成されて、前記間隙１０を塞ぐ様に、間隙１０の巾と略同一巾を有する頭部１５ｂとによって、長尺状を呈するように形成されている。
【００３３】
次に、この実施の形態１の作用を、前記外壁補修テープ９を用いた補修方法の施工順序等に沿って説明する。
【００３４】
まず、図２は、建築物が新築された際の外壁部構造を示している。
【００３５】
即ち、予め、アルミ製平板材によって構成される外壁パネル本体１，１の表面１ａ，１ａには、例えば、工場内で、アクリルゴム系塗料０．５ｋｇ／ｍ2〜０．７ｋｇ／ｍ2からなる下塗り塗料１０２が塗布されて乾燥された上に、ＥＶＡ粒径０．５〜２ｍｍ発泡体とアクリルゴム系塗料を６．２：１００の重量比で混合した主材１０３が、散点状に０．９ｋｇ／ｍ2〜１．１ｋｇ／ｍ2塗布される。
【００３６】
そして、この主材１０３塗布直後にこの主材１０３の上からローラー掛けが行なわれて、突設された凸部の高さが略面一に整えられる。
【００３７】
整面後、乾燥された主材１０３の上からアクリルゴム系塗料０．１〜０．２ｋｇ／ｍ2からなる上塗り塗料１０４が、略均一厚さに塗布されて乾燥させられる。
【００３８】
乾燥後、各外壁パネル本体１は、前記フレーム１３及び金属金具１４を装着して、建築物の施工現場まで、搬送されて、これらの複数の外壁パネル本体１が、各々建築物の壁部に貼設される。
【００３９】
この際、一対の外壁パネル本体１，１の両側端部１ｂ，１ｂ間には、間隙１０が形成される。この間隙１０には、合成ゴム製の目地材１５が、この間隙１０の延設方向に沿って、係止脚部１５ａから挿入されて配設される。
【００４０】
このようにして、建築物の外壁は、一旦図２に示すように構成されるが、外壁ボード表面１ａに塗布された各塗料１０２，１０３，１０４は、風雨に晒されて経時劣化して、図３に示す様に、一部剥離等が発生する場合がある。この際、前記目地材１５の外部に露出している頭部１５ｂも、経時劣化している場合がある。
【００４１】
次に、このように経時劣化した外壁構造の修復作業工程を、図４〜図６及び図１を用いて説明する。
【００４２】
まず、建築物壁面に貼設された一対の壁パネル本体１，１の両側端部１ｂ，１ｂが突き合わされて、所定間隔を有する間隙１０が形成される箇所に、この両側端部１ｂ，１ｂ間に跨って、この間隙１０を覆う外壁補修テープ９が貼設される。  この外壁補修テープ９は、前記裏面の粘着層９ｂから剥離紙が剥されて、巾方向両側部を、図４に示す様に前記両側端部１ｂ，１ｂ間を跨らせて、接着する。  このため、間隙１０が覆われ、この間隙１０間に挿入された目地材１５の頭部１５ｂが経時劣化等していても、この外壁補修テープ９によって覆われて外部からは見えなくなる。
【００４３】
次に、この外壁補修テープ９の表面側９ｃに壁パネル表面１ａに施された前記塗装１０２，１０３，１０４と略同一塗装を施すため、まず、図５に示すように、アクリルゴム系塗料０．５ｋｇ／ｍ2〜０．７ｋｇ／ｍ2からなる下塗り塗料１０５が塗布されて乾燥される。
【００４４】
この実施の形態１では、外壁補修テープ９を貼設して、下地塗装材により下地塗料層１０５ａがこの下塗り塗料１０５によって形成されると、下地塗装層１０５ａの表面を、外壁補修テープ部分１０５ｂと、壁パネル部分１０５ｃとで、略面一にする事が出来る。
【００４５】
次に、この乾燥された略面一の表面を有する下地塗料層１０５ａの上から、図６に示す様に、ＥＶＡ粒径０．５〜２ｍｍ発泡体とアクリルゴム系塗料を６．２：１００の重量比で混合した主材１０６が、散点状に０．９ｋｇ／ｍ2〜１．１ｋｇ／ｍ2塗布される。
【００４６】
そして、この主材１０６塗布直後にこの主材１０６の上からローラー掛けが行なわれて、突設された凸部１０６ａ…の高さが略面一に整えられて、主材層１０６ｂが形成される。
【００４７】
更に、図１に示す様に、整面後、乾燥された主材層１０６ｂの上からアクリルゴム系塗料０．１〜０．２ｋｇ／ｍ2からなる上塗り塗料１０７が、略均一厚さに塗布されて乾燥させられることにより、上塗り層１０７ａが、略一定の厚さに形成される。
【００４８】
補修後、上塗り層１０７ａの表面では、外壁補修テープ部分１０７ｂと、壁パネル表面部分１０７ｃとにおける突設された凸部１０６ａ…の高さが略面一高さとなる。
【００４９】
このため、外部からは、突き合わされる複数の外壁パネルが、一枚の壁面のように見えて、外観品質が良好である。
【００５０】
また、この実施の形態１では、下地塗装層１０５ａの表面を、外壁補修テープ部分１０５ｂと、壁パネル部分１０５ｃとで、略面一にする事が出来る。
【００５１】
このため、塗料主材或は、上塗り仕上げ材を塗布する際に、下地が整っているので、更に、良好な仕上がりを得ることが出来る。
【００５２】
上述してきたように、この実施の形態１の外壁補修テープ及び該テープを用いた補修方法では、容易に、経時劣化等した間隙１０間の目地材１５の頭部１５ｂ或は、外壁パネルの塗装層１０２等を新しい塗装層１１で覆い、良好な外観品質を得ることが出来る。
【００５３】
以上、この発明の実施の形態１を図面により詳述してきたが、具体的な構成はこの実施の形態１に限らず、この発明の要旨を逸脱しない範囲の設計の変更等があってもこの発明に含まれる。
【００５４】
例えば、前記実施の形態１では、この外壁補修テープ９のテープ本体９ａ裏面側に粘着層９ｂが設けられている粘着層９ｂに、図示省略の剥離紙が通常貼設されていて、使用時に、この剥離紙を粘着層９ｂから剥離するように構成されているが、特にこれに限らず、テープ本体９ａ裏面側に直接、接着剤等を塗布して、粘着層を形成するようにしてもよい。
【００５５】
【発明の効果】
以上説明してきたように、この発明の請求項１記載のものによれば、建築物壁面に貼設された一対の壁パネルの両側端部が突き合わされて、所定間隔を有する間隙が形成される箇所に、該両側端部間に跨って、外壁補修テープが裏面側に設けられた粘着層を介して貼設されて、該間隙が覆われる。
【００５６】
このため、該間隙間に挿入された目地材が経時劣化等していても、該外壁補修テープによって覆われて外部からは見えなくなる。
【００５７】
また、外壁補修テープは、表面側に壁パネル表面と略同一塗装が施されても、塗料層の厚みよりも、薄い厚さを有するので、該外壁補修テープ部分と、該壁パネル表面部分とが略面一高さに整う。
【００５８】
このため、外部からは、突き合わされる複数の外壁パネルが、一枚の壁面のように見えて、外観品質が良好である。
【００５９】
さらに、外壁補修テープを貼設して、下地塗装材により下地塗料層を形成すると、下地塗装層の表面を外壁補修テープ部分と、壁パネル部分とで、略面一にする事が出来る。
【００６０】
このため、塗料主材或は、上塗り仕上げ材を塗布する際に、下地が整っているので、更に、良好な仕上がりを得ることが出来る。
【００６１】
ついで、建築物壁面に貼設された一対の壁パネルの両側端部が突き合わされて、所定間隔を有する間隙が形成される箇所に、該両側端部間に跨って、該間隙を覆う外壁補修テープが貼設された後、該外壁補修テープの表面側に壁パネル表面と略同一塗装が施されて、該外壁補修テープ部分と、該壁パネル表面部分とが略面一高さに形成される。
【００６２】
このため、容易に、経時劣化等した間隙間の目地材或は、壁パネルの塗装層を新しい塗装層で、覆い、良好な外観品質を得ることが出来る、という実用上有益な効果を発揮する。
【図面の簡単な説明】
【図１】本発明の実施の形態１の外壁補修テープ及び該テープを用いた補修方法を説明する補修後の仕上がり状態を示す要部の断面図である。
【図２】本発明の実施の形態１の外壁補修テープ及び該テープを用いた補修方法を説明する新築時の建築物の外壁を示す要部の断面図である。
【図３】本発明の実施の形態１の外壁補修テープ及び該テープを用いた補修方法を説明し、経時劣化した建築物の外壁を示す要部の断面図である。
【図４】本発明の実施の形態１の外壁補修テープ及び該テープを用いた補修方法を説明し、補修中の外壁を示す要部の断面図である。
【図５】本発明の実施の形態１の外壁補修テープ及び該テープを用いた補修方法を説明し、補修中の外壁を示す要部の断面図である。
【図６】本発明の実施の形態１の外壁補修テープ及び該テープを用いた補修方法を説明し、補修中の外壁を示す要部の断面図である。
【図７】従来の外壁の構成を説明する要部の断面図である。
【符号の説明】
１，１    外壁パネル本体
１ａ      表面
９        外壁補修テープ
９ａ      テープ本体
９ｂ      粘着層
９ｃ      表面側
１０      間隙
１１      塗装層
１０５    下塗り塗料
１０５ａ  下地塗装層
１０６    主材
１０６ｂ  主材層
１０７    上塗り塗料
１０７ａ  上塗り層
１０７ｂ  外壁補修テープ部分
１０７ｃ  壁パネル表面部分
１５      目地材
【図１】
0003872857.tif 000002
【図２】
0003872857.tif 000003
【図３】
0003872857.tif 000004
【図４】
0003872857.tif 000005
【図５】
0003872857.tif 000006
【図６】
0003872857.tif 000007
【図７】
0003872857.tif 000008